(57)【特許請求の範囲】
【請求項１】
育苗ポットを縦横に配列して収容するカゴ型トレイであって、
育苗ポットの底部を受ける底受部を連結部で縦横に連結した底平面と、
この連結部の一辺から立ち上がる連結面と、該一辺に隣接する底受部の隣接辺から育苗ポットの側壁に沿うように立ち上がる当接面とから構成される三面柱と、
この三面柱の頂部を配列された育苗ポットの開口側の十字コーナー部で連結した十字連結部と、この三面柱の頂部を配列された育苗ポットの開口側のＴ字コーナー部で連結した上縁部とを備えたことを特徴とする育苗ポット用カゴ型トレイ。
【請求項２】
前記底平面には、前記カゴ型トレイの矩形の一方向に連続した直線部と、これに直交する方向に連続した直線部とが備えられていることを特徴とする請求項１記載の育苗ポット用カゴ型トレイ。
【請求項３】
前記カゴ型トレイは、相互に上下入り込んで、前記十字連結部及び前記上縁部の高さピッチで積み重ね可能となっていることを特徴とする請求項１または２記載の育苗ポット用カゴ型トレイ。
【請求項４】
前記十字連結部と、前記上縁部との上面には、ズレ止め突起が設けられていることを特徴とする請求項１から３のいずれか記載の育苗ポット用カゴ型トレイ。
【請求項５】
前記十字連結部と、前記上縁部とのスカート部であって、収容する育苗ポットに当接する部分に、収容された育苗ポットの飛び出しを防止する突起が設けられていることを特徴とする請求項１から４のいずれか記載の育苗ポット用カゴ型トレイ。
【発明の詳細な説明】
【技術分野】
【０００１】
本発明は、育苗ポットを縦横に配列して収容し、育苗、潅水、運搬、保管に用いられる育苗ポット用カゴ型トレイに関する。
【背景技術】
【０００２】
育苗ポット用カゴ型トレイについては、多くのものが提案されているが、従来のものは、その構造的基部を育苗ポットを収容した際の開口側とし、育苗ポットを個々に収容する個別収容部は、この開口側基部から下方に突出したカゴ状部分として形成されていた。
【０００３】
特開２００５−１２４５１９号公報に記載されたものもそのようなタイプであって、これを図７に示す。
【０００４】
この育苗ポット用カゴ型トレイ２０は、底受部１１、側方当接面１４、上縁部１６、上縁逃がし部１７を備えている。
【０００５】
上縁部１６は、全体として矩形形状のトレイ２０の短手方向に伸びた短手縁部１６ａと、長手方向に伸びた長手縁部１６ｂとが格子状に組み合わされたもので、この格子状の上縁部１６でトレイ２０の構造的基部を成している。
【０００６】
この上縁部１６から下方に向けて、収容する育苗ポットの側壁に当接すべき側方当接面１４が延び、その側方当接面１４の下端に四角形状の対角線と四辺とからなる骨組構造の底受部１１が設けられている。
【０００７】
これらの側方当接面１４と底受部１１とは、格子状の上縁部１６のそれぞれの格子毎に下方に突出した構成となっており、育苗ポットを個々に受け収容するカゴ状の個別収容部Ｓを形成している。
【０００８】
上縁逃がし部１７は、収容された育苗ポットが相互に隣接する短手縁部１６ａ、長手縁部１６ｂの各格子間の中央位置に設けられ、この短手縁部１６ａ、長手縁部１６ｂの上縁から一定部分を切り欠いたものである。
【０００９】
このような構成で、この育苗ポット用カゴ型トレイ２０は、縦横配列して育苗ポットを収容し、その構造的強度は上縁部１６で担保され運搬、保管に好適であり、個別収容部Ｓはカゴ状であって育苗ポットと外気との接触面積が多く、育苗、潅水に適している。
【００１０】
また、上縁逃がし部１７は、隣り合う育苗ポットを人の手先で一度に取り出すことを容易にするものである。
【００１１】
また、カゴ状の個別収容部Ｓは、収容する育苗ポットの形状に対応して、上方にいくほど拡開した形状となっており、この部分を重複させて、未使用のトレイ２０自身を上下に積み重ねた場合、上縁部１６の高さピッチで積み重ねることができる。
【００１２】
しかしながら、このような構成の育苗ポット用カゴ型トレイ２０にあっては、その底面側は、底受部１１が縦横に配列され、その底受部１１間は空隙となっているため、この底受部１１の底面側が接触する育苗棚や、運搬ローラなどの面が平滑でない場合、トレイ２０をスムーズに移動させることができなかったり、移動に余分な力を要したり、また、場合によっては、カゴ状の個別収容部Ｓが破損したりすることがあり改善が望まれていた。
【００１３】
この問題を解決するには、トレイの下方部分も格子状として、構造的基部とすることが考えられるが、その場合には、上記のトレイ２０のような上下の省スペースの積み重ねが困難という問題があった。
【００１４】
同種の育苗ポット用カゴ型トレイとしては、他に、特許文献２、３に記載されたものもあるが、これらも、上記問題を解決するものではなかった。
【特許文献１】特開２００５−１２４５１９号公報（図１）
【特許文献２】特開平７−３１２８８号公報（図１）
【特許文献３】実登３０５８２３１号公報（図２）
【発明の開示】
【発明が解決しようとする課題】
【００１５】
本発明は、個別収容部を備え、その構造的基部を下方としながら、省スペースの積み重ねを可能とするを育苗ポット用カゴ型トレイを提供することを目的としている。
【課題を解決するための手段】
【００１６】
請求項１記載の育苗ポット用カゴ型トレイは、育苗ポットを縦横に配列して収容するカゴ型トレイであって、
育苗ポットの底部を受ける底受部を連結部で縦横に連結した底平面と、この連結部の一辺から立ち上がる連結面と、該一辺に隣接する底受部の隣接辺から育苗ポットの側壁に沿うように立ち上がる当接面とから構成される三面柱と、この三面柱の頂部を配列された育苗ポットの開口側の十字コーナー部で連結する十字連結部と、この三面柱の頂部を配列された育苗ポットの開口側のＴ字コーナー部で連結した上縁部とを備えたことを特徴とする。
【００１７】
請求項２記載の育苗ポット用カゴ型トレイは、請求項１に従属し、前記底平面には、前記カゴ型トレイの矩形の一方向に連続した直線部と、これに直交する方向に連続した直線部とが備えられていることを特徴とする。
【００１８】
請求項３記載の育苗ポット用カゴ型トレイは、請求項１または２に従属し、前記カゴ型トレイは、相互に上下入り込んで、前記十字連結部及び前記上縁部の高さピッチで積み重ね可能となっていることを特徴とする。
【００１９】
請求項４記載の育苗ポット用カゴ型トレイは、請求項１から３のいずれかに従属し、前記十字連結部と、前記上縁部とのの上面には、ズレ止め突起が設けられていることを特徴とする。
【００２０】
請求項５記載の育苗ポット用カゴ型トレイは、請求項１から４のいずれかに従属し、前記十字連結部と、前記上縁部とのスカート部であって、収容する育苗ポットに当接する部分に、収容された育苗ポットの飛び出しを防止する突起が設けられていることを特徴とする。
【発明の効果】
【００２１】
請求項１記載の育苗ポット用カゴ型トレイによれば、育苗ポットの底部を受ける底受部を連結部で縦横に連結した底平面を備え、この底平面を構造的基部としているので、トレイの受ける荷重が、この底平面を介して直接外部に作用し、トレイの上下間を結ぶ部分への構造的負担をより少なくすることができ、また、強度的基礎が底平面にあるので、より外力に対して破損しにくい。
【００２２】
加えて、このトレイは、底平面から上方へは、三面壁構造の三面柱が立ち上がり、その頂部を連結するように十字連結部、上縁部が形成されているので、全体としての構造的強度も好適に担保されている。
【００２３】
請求項２記載の育苗ポット用カゴ型トレイによれば、請求項１の効果に加え、底平面には縦横の直線部が備えられているので、このトレイを載置する相手面に凹凸があっても、トレイの取扱が容易であり、個別収容部に関わる部分の破損を少なくすることができる。
【００２４】
請求項３記載の育苗ポット用カゴ型トレイによれば、請求項１または２の効果に加え、前記カゴ型トレイは、相互に上下入り込んで、前記十字連結部及び前記上縁部の高さピッチで積み重ね可能となっているので、収納、保管スペースを小さくすることができる。
【００２５】
請求項４記載の育苗ポット用カゴ型トレイによれば、請求項１から３のいずれかの効果に加え、前記十字連結部と前記上縁部との上面には、ズレ止め突起が設けられているので、育苗ポットを収容した状態で上下に重ねた場合のトレイ同士の横ズレを少なくすることができる。
【００２６】
請求項５記載の育苗ポット用カゴ型トレイによれば、請求項１から４のいずれかの効果に加え、前記十字連結部と前記上縁部とのスカート部であって、収容する育苗ポットに当接する部分に、収容された育苗ポットの飛び出しを防止する突起が設けられているので、振動などで育苗ポットが飛び出すのを防止することができる。
【発明を実施するための最良の形態】
【００２７】
以下に、本発明の実施の形態（実施例）について、図面を用いて説明する。
【実施例１】
【００２８】
図１は、本発明の育苗ポット用カゴ型トレイの一例を上方から見た上面図、図２（ａ）は図１の育苗ポット用カゴ型トレイを長手方向の側方から見た側面図、（ｂ）は（ａ）の要部拡大図、図３（ａ）は図１の育苗ポット用カゴ型トレイの要部斜視図、（ｂ）はその三面柱部分の横断面図である。
【００２９】
この育苗ポット用カゴ型トレイ１０は、育苗ポットを縦横に配列して収容し、育苗、潅水、運搬、保管に用いられるものであって、底受部１と連結部２とから構成される底平面３をその構造的基部として、これに立設された三面柱４の上部を連結した十字連結部５、上縁部６とによって、育苗ポットを収容する個別収容部Ｓを形成し、かつ、全体の構造的強度を確保していることを基本的特徴としている。
【００３０】
底受部１は、収容する育苗ポットの底面を受けるもので、育苗ポットの底面形状に合わせた形状とし、また、底面全体に当接するのではなく、図７の従来例のトレイ２０の底受部１１のように部分的に当接する骨組み構成とするのがよい。
【００３１】
この例では、底受部１は、角型の育苗ポットの底面形状に対応した四角形であって、その四角形を４つの四角形に等分割するような窓枠１ａを設けた形状としている。
【００３２】
連結部２は、底受部１に比べより小さい面積で、上方に向けて拡開する育苗ポットの上部開口部を密接させて縦横に配列した際の底部を受けるように配列した底受部１相互間の間隔を埋めて、底受部３を連結するものである。
【００３３】
三面柱４は、連結部２の一辺から立ち上がる連結面４ａと、該一辺に隣接する底受部１の隣接辺から育苗ポットの側壁に沿うように立ち上がる当接面４ｂとから構成されている。十字連結部５は、この三面柱４の頂部を配列された育苗ポットの開口側の十字コーナー部で連結するものである。
【００３４】
これら三面柱４と十字連結部５の構成は、図１の上面図、図２（ｂ）の側面図、図３の図面によって具体的に示されている。
【００３５】
ここで、図３（ｂ）の横断面図は、収容すべき縦横に配列された育苗ポット相互間の十字コーナー部分に相互にその開放側を対面させて向き合う四本の三面柱４の頂部が十字連結部５で連結された状態で、その連結部から幾分下方の部分の横断面である。
【００３６】
十字連結部５は、また、図２、３に示すように、その上方の十字平面部の外周辺から収容する育苗ポットの上部に当接すべく下方に延び、三面柱４の当接面４ｂの上方と連結されたスカート部５ａを備えている。
【００３７】
このスカート部５ａの育苗ポットに当接する面の適所には、図３（ａ）に示すように、わずかな突起５ｂが設けられている。この突起５ｂは、樹脂成形される場合の金型からの型離れを良くするものであるが、加えて、個別収容部Ｓに収容された育苗ポットが振動などにより、その個別収容部Ｓから飛び出すのを防止する突起５ｂとしても機能する。
【００３８】
よって、この突起５ｂによれば、ここに当接する育苗ポットが引っ掛かり、振動などにより、飛び出すのを防止することができる。
【００３９】
上縁部６は、この三面柱４の頂部を配列された育苗ポットの開口側のＴ字コーナー部で連結し、全体の外枠となっている。また、上縁部６は、図２、３に示すように、その上方の平面部の内側辺から収容する育苗ポットの上部に当接すべく下方に延び、三面柱４の当接面４ｂの上方と連結されたスカート部６ａを備えている。
【００４０】
この上縁部６のスカート部６ａの育苗ポットに当接する面の適所にも、スカート部５ａの突起５ｂと同様な突起（不図示）が設けられている。
【００４１】
上縁部６は、更に、その上方の平面部の外側辺から下方に延び、上縁部６を補強する外スカート部６ｂを備えている。
【００４２】
こうして、全体として、上縁部６は、このカゴ型トレイ１０の上部外枠を構成し、カゴ型トレイ１０を持ち上げる場合には、この上縁部６の部分で持ち上げるものである。
【００４３】
また、十字連結部５のスカート部５ａ、上縁部６のスカート部６ａ、外スカート部６ｂの下方へ伸びる長さ、あるいは、その高さは同一ものとされている。
【００４４】
この育苗ポット用カゴ型トレイ１０は、上記のものに加え、図４で後に説明する直線部７Ａ、直線部７Ｂ、育苗ポットを収容した状態で上下に積み重ねられた際の上下のトレイ１０間のズレを防止するズレ止め突起８を備えている。
【００４５】
ズレ止め突起８は、十字連結部５の上面の適所に設けられたズレ止め突起８Ａ、上縁部６のＴ字コーナー部の上面の適所に設けられたズレ止め突起８Ｂを備えている。
【００４６】
また、育苗ポット用カゴ型トレイ１０は、外側に配列された底受部１の外辺の適所と上縁部６のスカート部６ａとを収容する育苗ポットの外壁に当接しつつ連結する外側当接面９を備えている。
【００４７】
このような構成で、この育苗ポット用カゴ型トレイ１０は、底受部１と連結部２とから構成される底平面３を構造的基部としている点が基本的特徴であり、従来の育苗ポット用カゴ型トレイと異なる点である。
【００４８】
これにより、収容する育苗ポット、この育苗ポットに充填される培土、苗などの荷重が底平面３で直接的に受け止められ、その荷重は、この底平面３を介して、このトレイ１０を支え受ける埴栽棚や運搬ローラに受け止められる。
【００４９】
したがって、従来例のように、主にトレイの表面側を構造的基部とするものに比べ、そのトレイの上下間を結ぶ部分への構造的負担をより少なくすることができ、また、強度的基礎が底平面にあるので、より外力に対して破損しにくい。
【００５０】
一方、この構造的基部をなす底平面３から上方へは、上述した三面壁構造の三面柱４が立ち上がり、その頂部を連結するように十字連結部５、上縁部６が形成されているので、全体としての構造的強度も好適に担保されている。
【００５１】
十字連結部５は、底平面３から立ち上がった四つの三面柱４を、その開放側を対向させて十字形に連結し、かつ、それぞれの柱面である連結面４ａ、当接面４ｂは上方に向かって相互間の距離が小さくなるような上つぼみであり、また、当接面４ｂとも連結されたスカート部５ａを備えた構成となっているので、非常に強力な構造体となっている。
【００５２】
そして、底受部１、連結部２からなる底平面３から、このような強力な構造体である十字連結部５によって、個別収容部Ｓが形成されているので、十字連結部５相互間は、図３（ａ）で明確に示すように連結する必要はなく、この間に十分な空間を形成することができ、育苗ポット、特に連結育苗ポットの収容を容易にする。
【００５３】
上縁部６は、縦横に配列された状態で、配列の外側部分に存在し、その開放側をトレイ全体の外側に向けた三面柱４を連結するもので、これも、その隣り合う三面柱４同士を外枠を形成するように連結して、トレイ１０全体の構造的強度を高めている。
【００５４】
こうして、この育苗ポット用カゴ型トレイ１０は、構造的強度が高く、耐久性にも優れているので、出荷用にも用いることができ、また、使用後の繰り返し使用も可能である。
【００５５】
また、この育苗ポット用カゴ型トレイ１０は、底平面３として、縦横に配列した底受部１とこれらの底受部１を連結部２とからなる格子状部分を備えながら、上方に向かった拡開する個別収容部Ｓを形成する十字連結部５、上縁部６、相互に連結されない十字連結部５を備えることで、この個別収容部Ｓに対応する部分で上下に重畳可能であり、よって、上縁部６の高さ、つまり、外側スカート６ｂの高さピッチで上下に積み重ねることができ、省スペースで保管することができる。
【００５６】
なお、この育苗ポット用カゴ型トレイ１０は全体として育苗ポットと外気との接触面積を確保したカゴ型であることは変わりなく、従来例で説明したカゴ型トレイの効果である、育苗、潅水に適しているという効果は好適に維持している。
【００５７】
また、上記で説明した三面柱４は必ずしも、三面で構成されるものでなくともよく、例えば、図３（ｂ）における連結面４ａを省略して、対向する当接面４ｂだけで構成された二面柱としてもよい。
【００５８】
また、上記のような二面柱と三面柱４を、例えば、十字連結部５を支える４つの柱の内、対向する部分に一対ずつ設けるようにしてもよく、隣合うもの同士が二面柱同士、三面柱同士になるようにしてもよい。
【００５９】
いずれにしても、二面柱とするか、三面柱とするかは、全体的な強度の点から考慮されるものであり、二面柱とする場合には、強度の点では、若干おとるものの、材料の節約をすることができる。
【００６０】
なお、上記説明から解るように、特許請求の範囲の範囲に記載した三面柱には、このような二面柱も含まれるものである。
【００６１】
図４（ａ）は図１の育苗ポット用カゴ型トレイの上面詳細図、（ｂ）は裏面詳細図である。この図を用いて、直線部７Ａ、直線部７Ｂについて説明する。
【００６２】
直線部７Ａは、図４（ａ）、（ｂ）で、この図上で上下方向の矢印で示している部分であり、図４（ａ）のように上方から見た場合も、図４（ｂ）のように下方から見た場合も、トレイ全体の長手方向に連続する一定幅の直線部分を形成している。
【００６３】
具体的には、直線部７Ａは、連結された底受部１の窓枠１ａと、連結部２とが繋がったものである。直線部７Ｂは、直線部７Ａと直交する、トレイ全体の短手方向の直線部分であり、その構成は、直線部７Ａと同様である。直線部７Ａ、７Ｂを合わせて直線部７とする。
【００６４】
このような直線部７が底平面３にあると、たとえ、この底平面３が接する相手面、具体的には、トレイ１０が載置される相手が、メタルラスで構成された埴栽棚や、運搬コロやローラなどの凸凹のある面であっても、引っかかったりすることがなく、トレイ１０をスムーズ、滑らかに移動させることができる。
【００６５】
例えば、棚の奥にあるトレイ１０を人が手前に引っ張り出すような際の作業を非常に楽なものにすることができる。
【００６６】
また、外部の凸凹が、三面柱４に引っかかることが少なく、この個別収容部Ｓに関わる部分である三面柱４の破損を少なくすることができる。
【００６７】
図５（ａ）は図１の育苗ポット用カゴ型トレイに収容して用いられる角型の連結育苗ポットの一例を示す斜視図、（ｂ）は図１の育苗ポット用カゴ型トレイに収容して用いられる丸型の連結育苗ポットの一例を示す斜視図、図６は、図１の育苗ポット用カゴ型トレイに角型の連結育苗ポットを収容した状態を示す要部斜視図である。
【００６８】
本発明の育苗ポット用カゴ型トレイ１０に収容可能な育苗ポットとしては、図５（ａ）のような、角型の育苗ポットｐａを、その開口部分で相互に縦横に配列した状態で連結された連結育苗ポットＰＡがある。
【００６９】
また、図５（ｂ）のような丸型の育苗ポットｐｂを連結した連結育苗ポットＰＢであってもよい。
【００７０】
このような連結育苗ポットＰＡを育苗ポット用カゴ型トレイ１０にセットする際、トレイ１０は、その表面側の開口が大きいので、そのセットを容易にすることができる。
【００７１】
図６は、セットした育苗ポットｐａがばらばらに分離された状態を示すものであるが、このような状態の育苗ポットｐａをトレイ１０から取り出す場合、それぞれ相互には連結されていない十字連結部５で個別収容部Ｓが構成されているので、隣り合う育苗ポットｐａの開口上部の間には、邪魔ものがなく、従来例の上縁逃がし部１７と同様に、隣り合う育苗ポットを人の手先で一度に取り出すのが容易になる。
【００７２】
また、このように育苗ポットを収容した状態のトレイ１０を上下に重ねる場合には、個別収容部Ｓを重畳させるような積み重ねができないが、その場合、下段のズレ止め突起８（８Ａ、８Ｂ）が上段のトレイの底平面３にある空間部に填まり込んで、運搬などで振動がある場合に、トレイ１０が水平方向にズレ落ちたりするのを防止することができる。
【００７３】
なお、上記に説明した育苗ポット用カゴ型トレイ１０は、特許請求の範囲に記載された発明の一実施例であり、本発明はこの実施例に限定されるものではない。例えば、育苗ポット用カゴ型トレイの個別収容部を形成する底受部、三面柱の形状は、この例のように角型の育苗ポットに対応したものでなく、丸型の育苗ポットに対応したものであってもよい。
【産業上の利用可能性】
【００７４】
本発明の育苗ポット用カゴ型トレイは、育苗、園芸などにおいて、育苗ポットを好適に収容可能で、埴栽棚などからの取出、収納の際のスムーズな取扱が要請されるあらゆる産業分野に用いることができる。
【図面の簡単な説明】
【００７５】
【図１】本発明の育苗ポット用カゴ型トレイの一例を上方から見た上面図
【図２】（ａ）は図１の育苗ポット用カゴ型トレイを長手方向の側方から見た側面図、（ｂ）は（ａ）の要部拡大図
【図３】（ａ）は図１の育苗ポット用カゴ型トレイの要部斜視図、（ｂ）はその三面柱部分の横断面図
【図４】（ａ）は図１の育苗ポット用カゴ型トレイの上面詳細図、（ｂ）は裏面詳細図
【図５】（ａ）は図１の育苗ポット用カゴ型トレイに収容して用いられる角型の連結育苗ポットの一例を示す斜視図、（ｂ）は図１の育苗ポット用カゴ型トレイに収容して用いられる丸型の連結育苗ポットの一例を示す斜視図
【図６】図１の育苗ポット用カゴ型トレイに角型の連結育苗ポットを収容した状態を示す要部斜視図
【図７】従来の育苗ポット用カゴ型トレイの一例を示す斜視図
【符号の説明】
【００７６】
１          底受部
２          連結部
３          底平面
４          三面柱
４ａ        連結面
４ｂ        当接面
５          十字連結部
５ｂ        突起
６          上縁部
７Ａ        直線部
７Ｂ        直線部
８          ズレ止め突起
９          外側当接面
１０          育苗ポット用カゴ型トレイ
ＰＡ        連結育苗ポット（角型）
ＰＢ        連結育苗ポット（丸型）
【図１】
0004796369.tif 000002
【図２】
0004796369.tif 000003
【図３】
0004796369.tif 000004
【図４】
0004796369.tif 000005
【図５】
0004796369.tif 000006
【図６】
0004796369.tif 000007
【図７】
0004796369.tif 000008